(57)【要約】【課題】番組の撮影中に照明の調光レベルを変更する演出に対応することができる。【解決手段】被写体を照射するライト１の調光レベルを指定するフェーダ２１を有する調光卓２Ｂに接続され、カメラ３で撮影された画像のホワイトバランスの制御を行うホワイトバランス制御装置６であって、前記調光レベルと前記画像のホワイトバランスを調節するＲＧＢゲインバランスデータとを対応づけたホワイトバランスデータを記憶する記憶部６１と、調光卓２から指定した調光レベルを取得し、ホワイトバランスデータを参照して、取得した調光レベルに応じたＲＧＢゲインバランスデータをカメラ３またはカメラ３を制御するカメラコントロールユニット４Ａに出力する制御部６２と、を備える。【選択図】図１
2017092006.tif 000002
【特許請求の範囲】
【請求項１】
被写体を照射する照明装置の調光レベルを指定する調光操作部を有する調光卓に接続され、撮影装置で撮影された画像のホワイトバランスの制御を行うホワイトバランス制御装置であって、
前記調光レベルと前記画像のホワイトバランスを調節するＲＧＢゲインバランスデータとを対応づけたホワイトバランスデータを記憶する記憶部と、
前記調光卓から指定した調光レベルを取得し、前記ホワイトバランスデータを参照して、取得した調光レベルに応じたＲＧＢゲインバランスデータを前記撮影装置または前記撮影装置を制御するカメラコントロールユニットに出力する制御部と、
を備えることを特徴とするホワイトバランス制御装置。
【請求項２】
前記制御部は、前記調光卓から複数の照明装置の調光レベルを取得し、取得した複数の調光レベルに応じたＲＧＢゲインバランスデータを前記撮影装置または前記カメラコントロールユニットに出力する、
ことを特徴とする請求項１に記載のホワイトバランス制御装置。
【請求項３】
撮影装置で撮影された画像のホワイトバランスの制御を行うホワイトバランス制御システムであって、
調光レベルに応じて明るさが変化する調光機能を有し、被写体を照射する照明装置と、
前記照明装置の調光レベルを指定する調光操作部を有し、当該調光操作部の操作に応じて前記指定された調光レベルに制御する調光制御信号を前記照明装置に出力する調光卓と、
前記調光卓に接続されるホワイトバランス制御装置と、を備え、
前記ホワイトバランス制御装置は、
前記調光レベルと前記画像のホワイトバランスを調節するＲＧＢゲインバランスデータとを対応づけたホワイトバランスデータを記憶する記憶部と、
前記調光卓から指定した調光レベルを取得し、前記ホワイトバランスデータを参照して、取得した調光レベルに応じたＲＧＢゲインバランスデータを前記撮影装置または前記撮影装置を制御するカメラコントロールユニットに出力する制御部と、を有する、
ことを特徴とするホワイトバランス制御システム。
【発明の詳細な説明】
【技術分野】
【０００１】
本発明は、ホワイトバランス制御装置およびホワイトバランス制御システムに関する。
【背景技術】
【０００２】
テレビスタジオの照明は、様々な演出に対応するために調光機能を持たせてある。調光機能は、例えば、位相制御によって電球の明るさを変化させるものであり、ここでは、電球の明るさの度合いを調光レベルと呼び、単に「調光」と言った場合には調光レベルを下げる（電球の明るさを落とす）ことを意味することにする。従来、テレビスタジオの照明の調光を遠隔操作により行う調光卓が開発されている（例えば、特許文献１参照）。照明の調光を行うことによって、照明の位置を変更することなく、被写体に照射される光量を調整することが可能である。
【０００３】
また、テレビスタジオの照明には、高演色性であることを理由にハロゲンランプなどの白熱電球が広く使われている。この白熱電球は、調光を行うことにより光源の色温度が低下する特性を有しており、光源の色温度が低下することで光源の色が赤くなることが知られている。その為、調光を行った白熱電球によって光が照射された被写体は、赤みがかってしまうという問題があるが、この問題に対しては、テレビスタジオのプランニングにおいて、実際の撮影時の調光レベルでカメラのホワイトバランスを事前に調整することが行われている（非特許文献１参照）。これによって、色温度が低下した照明に照らされることで赤みがかった被写体を、実際の色に補正して撮影することが可能になる。
【０００４】
なお、調光を行わずに被写体に照射される光量を少なくするには、照明にＮＤ（Neutral Density）フィルタを入れたり、照明自体を被写体から遠ざけたりすることなどの手段も存在する。これらの手段では、調光を行わないので光源の色温度が低下することがなく、よって被写体が赤みがかることもないが、調光を行うのに比べて手間がかかり現実的ではない。
【先行技術文献】
【特許文献】
【０００５】
【特許文献１】特開2004-127722号公報
【非特許文献】
【０００６】
【非特許文献１】米本和也、他13名、「ＣＣＤ／ＣＭＯＳイメージ・センサ活用ハンドブック」、第２版、ＣＱ出版株式会社、2011年8月1日、p.130-p.135
【発明の概要】
【発明が解決しようとする課題】
【０００７】
しかしながら、調光に際してカメラのホワイトバランスを事前に調整する従来の方法では、番組の撮影中に照明の調光レベルを変更する演出に必ずしも対応することができなかった。例えば、スタジオ内の同じ席に、最初に男性が座り、次に女性が座るといった演出を想定する。人物照明のキーライトは、顔が白く飛ばないようにするために、その人物の顔レベルに合わせて調光することが一般的であり、席に男性が座っているときには、キーライトの調光レベルを例えば100％に調節し、また、席に女性が座っているときには、キーライトの調光レベルを例えば50％に調節する必要がある。
【０００８】
その為、席に座るのが男性から女性に変更した時点で、キーライトの調光レベルを変更することになるが、キーライトの調光レベル100％を想定して調節したカメラのホワイトバランスが崩れてしまい、撮影された女性の顔色が実際の色よりもやや赤みがかるといった現象が起こってしまう。なお、女性が席に座った時点で、ホワイトバランスを再度調節することも考えられるが、手間がかかり現実的ではない。
【０００９】
本発明はかかる点に鑑みてなされたものであって、光源の色温度が変化しても被写体を実際の色で撮影することができるホワイトバランス制御装置およびホワイトバランス制御システムを提供することを課題とする。
【課題を解決するための手段】
【００１０】
前記課題を解決するために本発明の一態様によるホワイトバランス制御装置は、被写体を照射する照明装置の調光レベルを指定する調光操作部を有する調光卓に接続され、撮影装置で撮影された画像のホワイトバランスの制御を行うホワイトバランス制御装置であって、ホワイトバランスデータを記憶する記憶部と、制御部とを備える構成とした。
ここで、ホワイトバランスデータは、調光レベルと画像のホワイトバランスを調節するＲＧＢゲインバランスデータとを対応づけたものである。
【００１１】
このような構成を備えるホワイトバランス制御装置は、記憶部に記憶されるホワイトバランスデータによって調光レベルとＲＧＢゲインバランスデータとが予め対応付けられているため、制御部が、前記調光卓から指定した調光レベルを取得し、前記ホワイトバランスデータを参照して、取得した調光レベルに応じたＲＧＢゲインバランスデータを前記撮影装置または前記撮影装置を制御するカメラコントロールユニットに出力する。
【発明の効果】
【００１２】
本発明の一態様によれば、照明装置の調光レベルとＲＧＢゲインとの対応づけから、ホワイトバランスデータを予め作成しておくので、監視対象の照明装置に対応する調光操作部の操作が行われる度にホワイトバランスデータを参照して、変更後の調光レベルに対応するＲＧＢゲインを撮影装置または撮影装置を制御するカメラコントロールユニットに出力することができる。その為、番組の撮影中に照明の調光レベルを変更する演出に対応することが可能であり、光源の色温度が変化しても被写体を実際の色で撮影することができる。
【図面の簡単な説明】
【００１３】
【図１】実施形態に係るホワイトバランス制御装置を用いた放送用スタジオシステムの概略構成図である。
【図２】ホワイトバランスデータの作成処理を示すフローチャートの例示である。
【図３】ホワイトバランスデータの作成処理を説明するための図である。
【図４】番組の撮影におけるホワイトバランスデータを用いたホワイトバランス制御を示すフローチャートの例示である。
【図５】番組の撮影におけるホワイトバランスデータを用いたホワイトバランス制御を説明するための図であり、（ａ）は演出前のスタジオの状態を表し、（ｂ）は演出後のスタジオの状態を表す。
【図６】変形例に係るホワイトバランス制御を説明するための図である。
【図７】変形例に係るホワイトバランス制御を説明するための図である。
【図８】変形例に係るホワイトバランス制御を示すフローチャートの例示である。
【発明を実施するための形態】
【００１４】
以下、本発明の実施するための形態を、適宜図面を参照しながら詳細に説明する。
各図は、本発明を十分に理解できる程度に、概略的に示してあるに過ぎない。よって、本発明は、図示例のみに限定されるものではない。また、参照する図面における寸法は、説明を明確にするために誇張して表現されている場合がある。なお、各図において、共通する構成要素や同様な構成要素については、同一の符号を付し、それらの重複する説明を省略する。
【００１５】
≪実施形態に係るホワイトバランス制御装置を用いた放送用スタジオシステムの構成≫
図１を参照して、実施形態に係るホワイトバランス制御装置６について説明する。図１は、ホワイトバランス制御装置６を用いた放送用スタジオシステムＳの概略構成図である。放送用スタジオシステムＳは、例えば、報道番組や教育番組などを収録するものである。放送用スタジオシステムＳは、ライト１と、調光制御装置２Ａと、調光卓２Ｂと、カメラ３と、カメラコントロールユニット（ＣＣＵ）４Ａと、オペレーションパネル４Ｂと、モニタ５と、ホワイトバランス制御装置６とを備えている。
【００１６】
なお、以下では、放送用スタジオシステムＳで作業を行う者（例えば、ライト１や調光卓２Ｂを操作する照明管理者、カメラ３を操作するカメラマン、オペレーションパネル４Ｂを操作するビデオエンジニアなど）を区別せずにまとめてスタジオ技術者と呼ぶことにする。また、ライト１と、調光卓２Ｂと、ホワイトバランス制御装置６とを合わせて、ホワイトバランス制御システムと呼ぶ場合がある。
【００１７】
ライト１（照明装置）は、番組の出演者である被写体に光を照射するものである。ここでのライト１は、調光機能を有しており、調光レベルに応じて明るさを変化させることが可能である。ライト１の調光方式は、特に限定されず、ここでは、位相制御方式を想定するが、ＰＷＭ制御方式などを採用することもできる。また、ここでのライト１は、高演色性のものを想定することにし、例えば、ハロゲンランプなどの白熱電球であってよい。ライト１として白熱電球を想定する場合、ライト１は、明るさに応じて色温度が変化し、調光をかけると光源の色が赤くなる（色温度が低下する）。
【００１８】
なお、図１では、一つのライト１のみを図示しているが、複数のライト（例えば、フィルライトやバックライト）が存在していてもよい。その場合、本実施形態ではライト１として、特にキーライトを想定することにする。キーライトは、被写体を照らすライトの中でメインとなるものである。
【００１９】
調光制御装置２Ａは、ライト毎の調光レベルを制御するものである。調光卓２Ｂは、調光制御装置２Ａをリモート操作するためのものである。調光卓２Ｂには、調光レベルを指定する調光操作部としてのフェーダ２１が複数設置されている。例えば、ライト１の調光レベルを制御する場合に、ライト１に対応するフェーダ２１を操作することで、調光制御装置２Ａからライト１に調光制御信号が出力される。
【００２０】
フェーダ２１は、つまみを上下方向に移動自在に形成されており、つまみが上側にある程に調光レベルが高く、一方、つまみが下側にある程に調光レベルが低くなっている。つまり、つまみが最上部に位置していると、調光レベルが「100％」となりライト１が最も明るくなり、つまみが最下部に位置していると、調光レベルが「0％」となりライト１が最も暗くなる。
【００２１】
また、調光卓２Ｂは、ライト１に出力した調光制御信号の調光レベルをホワイトバランス制御装置６に出力する。調光卓２Ｂがホワイトバランス制御装置６に調光レベルを通知するタイミングは、特に限定されるものではなく、例えば、フェーダ２１の操作後（つまり、調光レベルの変更後）であってもよいし、特定の時間間隔であってもよい。
【００２２】
カメラ３（撮影装置）は、ライト１で照らされた被写体を撮影するものである。カメラ３は、ＣＣＵ４Ａからカメラ制御信号（ＲＧＢゲインバランスデータを含む）を受信し、ホワイトバランスの調整を行いながら画像を撮影する。つまり、光源の色温度によって白の被写体に対するＲＧＢゲインのバランスが異なるが、カメラ３では、ＲＧＢゲインバランスデータを用いてこれを補正することで、白色の物体を白色として撮影することが可能である。ＲＧＢゲインバランスデータは、例えば、全画面のＲＧＢゲインの比率が「Ｒ：Ｇ：Ｂ＝１：１：１」になるように調整するための情報である。
【００２３】
ＲＧＢゲインバランスデータは、例えば、光源の色温度が低い（赤いように見える）場合に、Ｇ信号を基準にしてＢ信号に多くゲインを乗じるものであってよい。また、ＲＧＢゲインバランスデータは、光源の色温度が高い（青いように見える）場合に、Ｇ信号を基準にしてＲ信号に多くゲインを乗じるものであってよい。これにより、調光により光源の色が赤くなっている（色温度が低下している）ライト１で照らされた被写体をカメラ３により撮影した場合にでも、カメラ３は、白色の物体を白色として撮影することができる。
【００２４】
カメラコントロールユニット（ＣＣＵ：Camera Control Unit）４Ａは、カメラ３のセットアップを行うものである。オペレーションパネル４Ｂは、ＣＣＵ４Ａをリモート操作するためのものである。オペレーションパネル４Ｂでは、例えば、スタジオ技術者によってカメラ３のホワイトバランスや露出補正などを行うことが可能である。オペレーションパネル４Ｂには、例えば、ＲＧＢのＲ信号とＢ信号のゲインを増減するホワイトバランス調節用の回転式つまみ４１や、絞り調節用の回転式つまみ４２などが備えられている。
【００２５】
モニタ５は、カメラ３で撮影した映像を表示するものである。モニタ５は、カメラ３で撮影した被写体（出演者）の映像を忠実に写し出すことが可能であれば、種類などは特に限定されない。モニタ５は、例えば、液晶ディスプレイであってよい。モニタ５には、カメラ３で撮影された画像がＣＣＵ４Ａを介して入力される。
【００２６】
ホワイトバランス制御装置６は、カメラ３のホワイトバランスを制御する装置である。ホワイトバランス制御装置６は、ホワイトバランスデータを記憶する記憶部６１と、制御部６２とを備える。ホワイトバランス制御装置６には、調光卓２Ｂからライト１の調光レベルが入力される。調光卓２Ｂから入力される情報は、調光レベルではなくライト１に対応するフェーダ２１の操作情報であってもよい。また、ホワイトバランス制御装置６には、ホワイトバランスデータを作成する際にＣＣＵ４ＡからＲＧＢゲインバランスデータが入力される。一方、ホワイトバランス制御装置６は、番組の撮影時には、ホワイトバランスデータの作成時とは逆にＣＣＵ４Ａに対してＲＧＢゲインバランスデータを出力する。
【００２７】
記憶部６１は、例えば、ＲＡＭ（Random Access Memory）、ＲＯＭ（Read Only Memory）、ＨＤＤ（Hard Disk Drive）、フラッシュメモリ等の記憶媒体からなる。記憶部６１に記憶されるホワイトバランスデータは、番組の撮影において、演出によってライト１の調光レベルが変更されたときなどに、カメラ３のホワイトバランス制御に用いられる。例えば、ここでのホワイトバランスデータは、ライト１の調光レベルとカメラ３のホワイトバランスを調節するＲＧＢゲインバランスデータとが対応づけられているものを想定する。ホワイトバランスデータは、実験などによりテーブルや関数としてメーカ側で予め設定されていてもよいし、撮影現場でカメラ３のセットアップを行う際にスタジオ技術者によって作成されてもよい。
【００２８】
ホワイトバランスデータが現場で作成される場合、例えば、スタジオ技術者は、カメラ３のセッティングを調光レベル100％，80％，60％，40％，20％，0％などで行い、それぞれの調光レベルにおいて、オペレーションパネル４Ｂのホワイトバランス調節用の回転式つまみ４１を操作してＲゲインとＧゲインの調整を行う。そして、その際の調光レベルとＲＧＢゲインバランスデータとの対応づけからホワイトバランスデータが作成される。なお、ホワイトバランス調節用の回転式つまみ４１の操作に代えて、各調光レベルでオペレーションパネル４ＢのＡＷＢ（オートホワイトバランス）ボタン（図示せず）を押すことでＲＧＢゲインを調整するようにしてもよい（白を取るようにしてもよい）。
【００２９】
制御部６２は、撮影現場でホワイトバランスデータが作成される場合に、スタジオ技術者によるホワイトバランスデータの作成を補助する。また、制御部６２は、番組の撮影時に、調光卓２Ｂからライト１の調光レベルを取得し、記憶部６１に記憶されるホワイトバランスデータを参照して、取得した調光レベルに対応するＲＧＢゲインバランスデータをＣＣＵ４Ａに出力する。制御部６２の処理の詳細については、番組の撮影方法の説明の中で説明することにする。
【００３０】
制御部６２は、ＣＰＵ（Central Processing Unit）が図示しないＲＯＭ等に格納されたプログラムをＲＡＭ（Random Access Memory）に展開することにより実現するプログラム実行処理や、専用回路等により実現される。
【００３１】
≪実施形態に係るホワイトバランス制御装置を用いた番組の撮影方法≫
次に、図２ないし図５を参照（適宜、図１を参照）して、実施形態に係るホワイトバランス制御装置６を用いた放送スタジオでの番組の撮影方法について説明する。ここでは、最初に、図２および図３を参照して撮影で用いるホワイトバランスデータの作成について説明を行い、その後に、図４および図５を参照して実際の番組の撮影におけるホワイトバランス制御を、被写体を変更する演出に関連させて説明する。
【００３２】
＜ホワイトバランスデータの作成＞
図２に示すように、スタジオ技術者は、最初に、撮影する番組に合わせてスタジオのプランニングを行う（ステップＳ１１）。このプランニングには、例えば、背景のセットやテーブルなどの組み立て、番組の出演者の立ち位置決め、ライト１やカメラ３の位置決めなどが含まれる。プランニングでは、図３に示すように、背景のセットの前方にテーブルが配置され、出演者（図示せず）は、背景のセットとテーブルとの間に位置することになる。また、出演者を撮影するカメラ３がテーブルの前方に設置され、ライト１が出演者に光を照射可能な位置に設置される。つまり、ライト１は、出演者を照らすキーライトの役割を果たし、カメラ３は、出演者を１ショットで正面から撮影する。なお、ここでは、キーライト以外の照明装置の図示を省略している。そして、スタジオ技術者は、被写体である出演者の立ち位置（ここでは、背景のセットとテーブルとの間）にグレースケールを設置する（ステップＳ１２）。
【００３３】
続いて、スタジオ技術者は、調光卓２Ｂのフェード２１を操作してライト１の調光レベルを例えば100％に調整し、カメラ３でグレースケールを撮影する（ステップＳ１３）。また、スタジオ技術者は、例えば、モニタ５に写し出されるグレースケールを観察しながら、オペレーションパネル４Ｂのホワイトバランス調節用の回転式つまみ４１を操作してＲゲインとＧゲインの調整を行う（ステップＳ１４）。ここで、フェーダ２１操作後の調光レベルは、調光卓２Ｂからホワイトバランス制御装置６に通知され、また、ＲゲインとＧゲインの調整後のＲＧＢゲインバランスデータは、ＣＣＵ４Ａからホワイトバランス制御装置６に通知される。
【００３４】
そして、ＲＧＢゲインの比率が「Ｒ：Ｇ：Ｂ＝１：１：１」にほぼなった場合に、スタジオ技術者は、オペレーションパネル４Ｂのホワイトバランスデータ作成ボタン（図示せず）を選択し、これにより、ホワイトバランス制御装置６の制御部６２は、調光レベルとＲＧＢゲインバランスデータとの対応づけを行う（ステップＳ１５）。なお、ホワイトバランスデータ作成ボタンを選択されたことをキーとして、制御部６２は、調光卓２Ｂからライト１の調光レベルを取得し、また、ＣＣＵ４ＡからＲＧＢゲインバランスデータを取得して、調光レベルとＲＧＢゲインバランスデータとの対応づけを行うようにしてもよい。
【００３５】
続いて、ホワイトバランス制御装置６の制御部６２は、調光レベルとＲＧＢゲインバランスデータとの対応づけを必要数分だけ行ったか否かを判定する（ステップＳ１６）。対応付けの必要数は、ホワイトバランスデータを精度よく作成することができる数だけあればよく、例えば、実験などにより予め決められていてもよいし、スタジオ技術者によって撮影現場で決定されてもよい。なお、対応付けの数が増えればその分だけホワイトバランス制御の精度が高まるので、多くの対応づけを行うことがより望ましい。
【００３６】
必要数分の対応付けが終了していない場合（ステップＳ１６で“Ｎｏ”）には、ホワイトバランス制御装置６の制御部６２は、モニタ５への表示や音声等により次の調光レベル（例えば、80％，60％，40％，20％，0％）での更なる対応づけが必要であることをスタジオ技術者に通知して、処理をステップＳ１３に戻す。スタジオ技術者は、その表示や音声等に従い、ライト１の調光レベルを例えば80％に調整し、カメラ３でグレースケールを再度撮影する（ステップＳ１３）。また、スタジオ技術者は、オペレーションパネル４Ｂを操作してＲゲインとＧゲインの調整を行い（ステップＳ１４）、制御部６２はその状態での調光レベル（80％）とＲＧＢゲインバランスデータとの対応づけを行う（ステップＳ１５）。そして、制御部６２は、調光レベルとＲＧＢゲインバランスデータとの対応づけを必要数分だけ行ったか否かを再度判定する（ステップＳ１６）。これにより、ステップＳ１３〜ステップＳ１６では、必要数分（例えば、100％，80％，60％，40％，20％，0％の六回）だけ調光レベルとＲＧＢゲインバランスデータとの対応づけが行われる。なお、調光レベル0％の場合には、キーライトの役割を果たすライト１なしで、ベースライト等の漏れ明かりのみを使ってグレースケールを照らして、ＲゲインとＧゲインの調整を行うことになる。
【００３７】
一方、必要数分の対応付けが終了した場合（ステップＳ１６で“Ｙｅｓ”）には、ホワイトバランス制御装置６の制御部６２は、ステップＳ１２〜ステップＳ１６での調光レベルとＲＧＢゲインバランスデータとの対応づけから、ホワイトバランスデータを作成する（ステップＳ１７）。制御部６２は、例えば、対応づけを行った調光レベルの間の調光レベルに対応するＲＧＢゲインバランスデータを数学的に補完するなどしてホワイトバランスデータを作成する。
【００３８】
＜撮影におけるホワイトバランス制御＞
図４を参照して、実際の番組の撮影の流れを、出演者を変更する演出に関連させて説明する。図４に示す処理は、カメラ３を用いた撮影が行われることにより開始され、例えば、撮影を継続している間、所定間隔で実行される。処理が開始されると、ホワイトバランス制御装置６の制御部６２は、キーライトの役割を果たすライト１に対応するフェーダ２１がスタジオ技術者によって操作されたか否かを判定する（ステップＳ２１）。
【００３９】
ライト１に対応するフェーダ２１の操作を検出した場合（ステップＳ２１で“Ｙｅｓ”）に、ホワイトバランス制御装置６の制御部６２は、フェーダ操作後のライト１の調光レベルを調光卓２Ｂから取得する（ステップＳ２２）。なお、撮影を開始した直後については、自動的にステップＳ２１で“Ｙｅｓ”と判定されるようにしてもよい。続いて、制御部６２は、記憶部６１に記憶されるホワイトバランスデータを参照して、ステップＳ２２で調光卓２Ｂから取得した調光レベルに対応するＲＧＢゲインバランスデータをＣＣＵ４Ａに出力する（ステップＳ２３）。ＣＣＵ４Ａは、新たなＲＧＢゲインバランスデータによるホワイトバランスで、カメラ３による撮影を開始させる（ステップＳ２４）。
【００４０】
一方、ライト１に対応するフェーダ２１の操作を検出しない場合（ステップＳ２１で“Ｎｏ”）に、ステップＳ２２〜ステップＳ２４の処理を行わずに、ＣＣＵ４Ａは、現在のＲＧＢゲインバランスデータによるホワイトバランスでカメラ３による撮影を継続させる。
【００４１】
例えば、スタジオ技術者は、フェーダ２１を操作してライト１の調光レベルを100％に調整し、被写体である男性出演者の撮影を開始したとする（図５（ａ）参照）。そして、撮影が開始されて所定時間が経過したときに、番組の演出によって被写体が男性出演者から女性出演者に変更されたとする。その場合に、スタジオ技術者は、被写体の変更に伴い、フェーダ２１を操作してキーライトの調光レベルを例えば100％から50％に調整する（図５（ｂ）参照）。
【００４２】
この際に、ホワイトバランス制御装置６の制御部６２は、スタジオ技術者によるフェーダ２１の操作を検出し（ステップＳ２１）、フェーダ２１の操作後のライト１の調光レベルである50％を調光卓２Ｂから取得する（ステップＳ２２）。そして、制御部６２は、記憶部６１に記憶されるホワイトバランスデータを参照して、調光レベル50％に対応するＲＧＢゲインバランスデータをＣＣＵ４Ａに出力し（ステップＳ２３）、カメラ３は新たなＲＧＢゲインによるホワイトバランスで被写体である女性の撮影を開始する（ステップＳ２４）。
【００４３】
以上のように、実施形態に係るホワイトバランス制御装置６は、キーライトの役割を果たすライト１の調光レベルとＲＧＢゲインバランスデータとを対応づけたホワイトバランスデータを予め作成しておく。そして、ホワイトバランス制御装置６は、キーライトの役割を果たすライト１に対応するフェーダ２１の操作が行われる度にホワイトバランスデータを参照して、変更後の調光レベルに対応するＲＧＢゲインバランスデータをＣＣＵ４Ａに出力する。
【００４４】
つまり、実施形態では、監視対象とするライト１（ここでは、キーライトを想定）を調光卓２Ｂにおいて予め決めておく。そして、そのライト１の調光レベルを常にホワイトバランス制御装置６で監視し、調光レベルの変化があった場合に、変化後の調光レベルに応じたＲＧＢゲインバランスデータを用いてカメラ３のＲＧＢゲインをリアルタイムに変化させる。その為、実施形態では、番組の撮影中にライト１の調光レベルを変更する演出に対応することが可能である。したがって、番組の演出でライト１に調光をかけた場合に、調光をかけたライト１で照らした被写体をカメラ３で撮影したとしても、被写体の色が赤くなってしまうという問題がない。
【００４５】
［変形例］
以上、本発明の実施形態について説明したが、本発明はこれに限定されるものではなく、特許請求の範囲の趣旨を変えない範囲で実施することができる。
【００４６】
＜変形例１＞
実施形態では監視対象のライトが一つであったが、監視対象のライトは複数であってもよい。つまり、実施形態では、人物の１ショットを撮影するカメラに用いることを想定していたが、人物の２ショットを撮影するカメラが設置される場合や他のショットを撮影される複数のカメラが設置される場合でも、本発明を用いることができる。その場合、例えば、各キーライトの調光レベルの平均値を取るなどして、キーライトの色温度変化の影響を最小限に抑えるようにするのがよい。図６および図７を参照して、具体例を説明する。
【００４７】
ここでのプランニングは、図７に示すように、Ｌ字状のセットの前方に同じくＬ字状のテーブルが配置され、二人の出演者（以下、「司会者」と呼ぶ場合がある）は、テーブルの奥側に立つことを想定し、もう一人の出演者（以下、「ゲスト」と呼ぶ場合がある）は、テーブルの向かって右側に立つことを想定する。また、司会者を１ショットで撮影するカメラ３ａがテーブルの前方右側に設置され、ライト１ａが司会者の一方（左側の出演者）に光を照射可能な位置に設置されている。また、司会者を２ショットで撮影するカメラ３ｂがテーブルの前方正面に設置され、ライト１ｂが司会者の他方（中央の出演者）に光を照射可能な位置に設置されている。また、ゲストを１ショットで撮影するカメラ３ｃがテーブルの向かって左側に設置され、ライト１ｃがゲストに光を照射可能な位置に設置されている。各ライト１ａ，１ｂ，１ｃは、各々が出演者を照らすキーライトの役割を果たしている。なお、ここでは、キーライト以外の照明装置の図示を省略している。
【００４８】
次に、スタジオ技術者は、図６に示すように、出演者の立ち位置（ここでは、中央の出演者を想定）にグレースケールを設置し、グレースケールを撮影することが可能なように、グレースケールの前にカメラ３ａ，３ｂ，３ｃを横一列に並べる。このとき、各ライト１ａ，１ｂ，１ｃの位置は変更させない。この状態で、スタジオ技術者は、例えば、ライト１ｂの調光レベルを100％，80％，60％，40％，20％，0％に順次変更して、各調光レベルにおける各カメラ３ａ，３ｂ，３ｃのＲＧＢゲインバランスデータを決定する。具体的には、スタジオ技術者は、オペレーションパネル４Ｂａ，４Ｂｂ，４Ｂｃのホワイトバランス調節用の回転式つまみ４１ａ，４１ｂ，４１ｃを操作して、各カメラ３ａ，３ｂ，３ｃでのＲＧＢゲインの比率が各調光レベルで「Ｒ：Ｇ：Ｂ＝１：１：１」になるように調整を行う。このとき、ライト１ａ，１ｃは、撮影時の調光レベルであるのが望ましいが、明かりを消しておいてもよい。
【００４９】
そして、各々のホワイトバランス制御装置６ａ，６ｂ，６ｃは、その際のライト１ｂの調光レベルとＲＧＢゲインバランスデータとの対応づけからホワイトバランスデータを作成する。具体的には、ホワイトバランス制御装置６ａは、カメラ３ａについてのホワイトバランスデータを作成し、ホワイトバランス制御装置６ｂは、カメラ３ｂについてのホワイトバランスデータを作成し、ホワイトバランス制御装置６ｃは、カメラ３ｃについてのホワイトバランスデータを作成する。ホワイトバランスデータの作成後、カメラ３ａ，３ｂ，３ｃの位置をプランニングの位置（図７参照）に戻してセッティングが完了する。なお、カメラ３ａ，３ｂ，３ｃを同様なものを用いることを想定した場合、その際の調光レベルとＲＧＢゲインバランスデータとの対応づけを、各カメラ３ａ，３ｂ，３ｃで同様のものとして一つのホワイトバランス制御装置６で管理することも可能である。
【００５０】
撮影が開始されると、ホワイトバランス制御装置６ａ，６ｂ，６ｃの各々の制御部６２は、図８に示すように、各ライト１ａ，１ｂ，１ｃに対応するフェーダ２１ａ，２１ｂ，２１ｃがスタジオ技術者によって操作されたか否かを判定する（ステップＳ２１Ａ）。ライト１ａ，１ｂ，１ｃに対応するフェーダ２１ａ，２１ｂ，２１ｃの操作を検出した場合（ステップＳ２１Ａで“Ｙｅｓ”）に、ホワイトバランス制御装置６ａ，６ｂ，６ｃの各々の制御部６２は、フェーダ操作後のライト１ａ，１ｂ，１ｃの調光レベルを調光卓２Ｂから取得する（ステップＳ２２Ａ）。なお、操作されたフェーダ２１ａ，２１ｂ，２１ｃの調光レベルのみを取得するようにしてもよい。
【００５１】
続いて、ホワイトバランス制御装置６ａ，６ｂ，６ｃの各々の制御部６２は、自身の記憶部６１に記憶されるホワイトバランスデータを参照して、ステップＳ２２Ａで調光卓２Ｂから取得したライト１ａ，１ｂ，１ｃの調光レベルの平均値に対応するＲＧＢゲインバランスデータをＣＣＵ４Ａａ，４Ａｂ，４Ａｃに出力する（ステップＳ２３Ａ）。例えば、ライト１ａ，１ｂ，１ｃの調光レベルが各々60％，100％，80％であった場合、平均値の80％に対応するＲＧＢゲインバランスデータを、ホワイトバランス制御装置６ａはＣＣＵ４Ａａに出力し、ホワイトバランス制御装置６ｂはＣＣＵ４Ａｂに出力し、ホワイトバランス制御装置６ｃはＣＣＵ４Ａｃに出力する。そして、各ＣＣＵ４Ａａ，４Ａｂ，４Ａｃは、新たなＲＧＢゲインバランスデータによるホワイトバランスで、カメラ３ａ，３ｂ，３ｃによる撮影を開始させる（ステップＳ２４Ａ）。なお、各ＣＣＵ４Ａａ，４Ａｂ，４Ａｃに出力するのは、ライト１ａ，１ｂ，１ｃの調光レベルの平均値に対応するＲＧＢゲインバランスデータでなくともよく、例えば、中央値などであってもよい。
【００５２】
なお、各ライトに重みづけを行って、各ライトの調光レベルに重みを乗じた値の平均値（加重平均）を用いて各ライトの制御を行ってもよい。例えば、三人の出演者がいることを想定した場合に、最も頻繁に映るメインの出演者（例えば、司会者）のキーライトの調光レベルには「0.6」を掛けて、他の二人の出演者のキーライトの調光レベルには「0.2」を各々掛ける。そして、これらを全て足した値に対応するＲＧＢゲインバランスデータによって、各ライトの制御を行ってもよい。
【００５３】
以上のように、各キーライトの調光レベルの平均値を取るなどして、キーライトの色温度変化の影響を最小限に抑えることが可能である。なお、被写体の顔にホワイトバランスの基準を持ってくると、調光レベルによっては背景の色味が変わってくるかもしれないが、実用上はまったく問題ない。被写体の中心である人間の顔色が変わることが最もセンシティブであり違和感があるためである。
【００５４】
＜変形例２＞
変形例１では、各々のホワイトバランス制御装置６ａ，６ｂ，６ｃは、ライト１ｂの調光レベル（例えば、100％，80％，60％，40％，20％，0％）とＲＧＢゲインバランスデータとの対応づけからホワイトバランスデータを作成していた。しかしながら、ホワイトバランスデータの作成方法はこれに限定されるものではなく、例えば、複数のライトの照明レベルの組合せパターンに基づいてホワイトバランスデータを作成してもよい。
【００５５】
その場合、各々のホワイトバランス制御装置６ａ，６ｂ，６ｃは、ライト１ａの調光レベル（例えば、100％，75％，50％の３通り）、ライト１ｂの調光レベル（例えば、100％，75％，50％の３通り）、ライト１ｃの調光レベル（例えば、100％，75％，50％の３通り）の組み合わせパターン（３×３×３＝２７通り）と、ＲＧＢゲインバランスデータとの対応づけからホワイトバランスデータを作成する。そして、各々のホワイトバランス制御装置６ａ，６ｂ，６ｃは、撮影時に、ライト１ａ，１ｂ，１ｃの調光レベルの組み合わせパターンに対応するＲＧＢゲインバランスデータを各々のカメラ３ａ，３ｂ，３ｃに対応する各ＣＣＵ４Ａａ，４Ａｂ，４Ａｃに出力するようにしてもよい。
【００５６】
＜変形例３＞
また、実施形態では、グレースケールを用いてスタジオ技術者による手動でＲＧＢゲインの調整を行っていたが、オートホワイトバランス機能を用いてもよい。その場合、例えばオペレーションパネル４ＢにＡＷＢ（オートホワイトバランス）ボタンを追加して、スタジオ技術者は、このＡＷＢを押してＲＧＢゲインを調整する。なお、この場合も実施形態と同様に、調整した間の調光レベルのホワイトバランスは、数学的に補完するなどしてホワイトバランスデータを作成する。
【００５７】
＜その他の変形例＞
また、実施形態では、監視対象の照明装置としてキーライトの場合を想定していたが、被写体は人物でなくてもよく、最も色温度変化による影響を抑えたい被写体を照らすライトに調整の基準を設定すればよい。
【００５８】
また、実施形態では、ホワイトバランス制御装置６を独立した装置としていたが、ホワイトバランス制御装置６の機能が他の装置（例えば、調光制御装置２Ａ，調光卓２Ｂ、カメラ３、ＣＣＵ４Ａなど）に含まれるようにしてもよい。
また、実施形態では、カメラ３と、ＣＣＵ４Ａとを別々の装置としていたが、ＣＣＵ４Ａの機能がカメラ３に含まれるようにしてもよい。
【符号の説明】
【００５９】
１，１ａ，１ｂ，１ｃ  ライト（照明装置）
２Ａ    調光制御装置
２Ｂ    調光卓
２１，２１ａ，２１ｂ，２１ｃ  フェーダ
３，３ａ，３ｂ，３ｃ  カメラ（撮影装置）
４Ａ，４Ａａ，４Ａｂ，４Ａｃ  カメラコントロールユニット（ＣＣＵ）
４Ｂ，４Ｂａ，４Ｂｂ，４Ｂｃ  オペレーションパネル
５      モニタ
６，６ａ，６ｂ，６ｃ  ホワイトバランス制御装置
６１    記憶部
６２    制御部
【図１】
2017092006.tif 000003
【図２】
2017092006.tif 000004
【図３】
2017092006.tif 000005
【図４】
2017092006.tif 000006
【図５】
2017092006.tif 000007
【図６】
2017092006.tif 000008
【図７】
2017092006.tif 000009
【図８】
2017092006.tif 000010